(57)【要約】【課題】使用済状態のトナー容器と未使用状態のトナー容器とが箱内にて混在する場合とされても、トナー容器の使用／未使用状態を容易に識別可能な梱包箱を提供する。【解決手段】容器を収容可能な箱本体５と、箱本体５を覆うフラップ部１１、１６、２１、２６とを備える梱包箱１に関する。フラップ部１６に容器の使用状態を示す表示片部５０が設けられ、表示片部５０は、フラップ部１６の本体部１７から立ち上げられるべく、フラップ部１６の本体部１７に切れ込みが入れられてフラップ部１６の本体部１７に対して折り曲げ自在に形成された。表示片部５０の根元部５３にフラップ部１６の本体部１７に対し折り曲げ可能な折目線部５４が設けられた。【選択図】図９
2014118171.tif 000002
【特許請求の範囲】
【請求項１】
容器を収容するための箱本体と、
本体部と、前記容器の使用状態を示す表示片部と、を含み、前記箱本体を覆うフラップ部と、
を備え、
前記表示片部は、前記フラップ部の前記本体部から立ち上げられるべく、前記フラップ部の前記本体部に切れ込みが入れられた、
ことを特徴とする梱包箱。
【請求項２】
前記表示片部の根元部に前記フラップ部の前記本体部に対し折り曲げ可能な折目線部が設けられた、
ことを特徴とする請求項１記載の梱包箱。
【請求項３】
前記箱本体を構成する側板部と、
該側板部に連設された前記フラップ部と、を備え、
該側板部と該フラップ部とを分ける折曲線部が設けられ、
該折曲線部上に前記折目線部が設けられた、
ことを特徴とする請求項２記載の梱包箱。
【請求項４】
前記フラップ部は、前記箱本体の内側に備えられる内フラップ部と、該内フラップ部の外側に重ねられる外フラップ部と、を備えて構成され、
該内フラップ部に前記表示片部が設けられ、
該外フラップ部に該表示片部に対応する切欠き部が設けられた、
ことを特徴とする請求項１乃至３の何れか１項に記載の梱包箱。
【請求項５】
前記表示片部を前記フラップ部の前記本体部から立ち上げるときに、該表示片部を立ち上げ易くさせる切欠き状の起立促進部が、該フラップ部の該本体部に該表示片部が合わせられた状態における該表示片部の周辺近傍の該本体部に設けられた、
ことを特徴とする請求項１乃至４の何れか１項に記載の梱包箱。
【請求項６】
前記内フラップ部には、前記容器が使用済みであることが記載されている、
ことを特徴とする請求項４又は５記載の梱包箱。
【発明の詳細な説明】
【技術分野】
【０００１】
本発明は、トナー容器等の容器が収納される梱包箱に関する。
【背景技術】
【０００２】
トナーカートリッジ等のトナー容器は、トナー容器の持ち運び、保管等の取扱い時に梱包箱に収納されている。例えば開梱時にカッター等の工具が不要でカートリッジに衝撃を与えることなく容易に取り出すことのできる梱包箱が知られている。（例えば、特許文献１参照。）
【先行技術文献】
【特許文献】
【０００３】
【特許文献１】特開２００７−２８４０８２号公報
【発明の概要】
【発明が解決しようとする課題】
【０００４】
ところが、上記特許文献１に記載の梱包箱においては、複数個のトナー容器いわゆるトナーカートリッジが梱包箱に収納される際に、使用済のトナー容器と未使用のトナー容器とが箱内にて混在する場合に、トナー容器の使用／未使用状態を容易に識別することは困難なこととされていた。
【０００５】
本発明は、上記従来の課題を解決するものであって、使用済状態のトナー容器と未使用状態のトナー容器とが箱内にて混在する場合とされても、トナー容器の使用／未使用状態を容易に識別可能な梱包箱を提供することを目的とする。
【課題を解決するための手段】
【０００６】
上記課題を解決するために、本発明の梱包箱は、容器を収容するための箱本体と、本体部と、前記容器の使用状態を示す表示片部と、を含み、前記箱本体を覆うフラップ部と、を備え、前記表示片部は、前記フラップ部の前記本体部から立ち上げられるべく、前記フラップ部の前記本体部に切れ込みが入れられている。
【発明の効果】
【０００７】
本発明によれば、使用済状態のトナー容器と未使用状態のトナー容器とが梱包箱内にて混在する場合とされても、トナー容器の使用／未使用状態を容易に識別可能な梱包箱を提供することができる。
【図面の簡単な説明】
【０００８】
【図１】本発明の実施例１に係る梱包箱を説明する展開図である。
【図２】未開封時の梱包箱を示す斜視図である。
【図３】第１及び第２の外フラップ部が開けられて梱包箱が開封され始める状態を示す斜視図である。
【図４】第１及び第２の外フラップ部が開けられたときの梱包箱内の状態を示す斜視図である。
【図５】未使用状態の１本目のトナー容器が梱包箱内から取り出され始める状態を示す斜視図である。
【図６】第１及び第２の内フラップ部が開けられた状態ならびに１本目のトナー容器の取出／収納状態を示す分解斜視図である。
【図７】１本目の使用済状態のトナー容器が梱包箱内に収納されて第１及び第２の内フラップ部が閉じられた状態を説明する斜視図である。
【図８】仮梱包時の梱包箱を示す斜視図である。
【図９】未使用状態の２本目のトナー容器が梱包箱内から取り出され始める状態を示す斜視図である。
【図１０】第１及び第２の内フラップ部が開けられて２本目のトナー容器が取り出された状態を示す斜視図である。
【図１１】２本目の使用済状態のトナー容器が梱包箱内に収納されて第１及び第２の内フラップ部が閉じられた状態を説明する斜視図である。
【図１２】使用済状態のトナー容器が全て梱包箱内に収納された状態を示す斜視図である。
【図１３】本発明の実施例２に係る梱包箱を説明する斜視図である。
【図１４】未使用状態の１本目のトナー容器が梱包箱内から取り出され始める状態を示す斜視図である。
【図１５】第１及び第２の内フラップ部が開けられた状態ならびに１本目のトナー容器の取出／収納状態を示す分解斜視図である。
【図１６】１本目の使用済状態のトナー容器が梱包箱内に収納されて第１及び第２の内フラップ部が閉じられた状態を説明する斜視図である。
【図１７】未使用状態の２本目のトナー容器が梱包箱内から取り出され始める状態を示す斜視図である。
【図１８】第１及び第２の内フラップ部が開けられて２本目のトナー容器が取り出された状態を示す斜視図である。
【図１９】２本目の使用済状態のトナー容器が梱包箱内に収納されて第１及び第２の内フラップ部が閉じられた状態を説明する斜視図である。
【発明を実施するための形態】
【０００９】
以下、本発明の実施の形態について、図面を参照しながら詳細に説明する。
【実施例１】
【００１０】
図１は、本発明の実施例１に係る梱包箱１を説明する展開図である。
【００１１】
素材とされる略平板状の段ボールシート８が折り曲げられて組み立てられることにより、トナー容器用箱本体、各フラップ部１１（１１ａ、１１ｂ、１１ｃ、１１ｄ）、１６（１６ａ、１６ｂ、１６ｃ、１６ｄ）、２１、２６等を有する梱包箱１が構成される。フラップとは、箱本体に被せられる蓋とされている。
【００１２】
フラップ部１１、１６、２１、２６は、箱本体の内側に備えられて箱本体の開口部を覆う第１、第２の内フラップ部１１、１６と、第１、第２の内フラップ部１１、１６の外側に重ねられて箱本体の開口部を覆う第１、第２の外フラップ部２１、２６とを備えて構成される。
【００１３】
なお、図１において、図中の破線は、自在に折り曲げ可能な折曲線部を示す。
【００１４】
また、この段ボールシート８は、表側のライナ９に波型に加工された中芯１０が糊等の接着剤により貼り付けられ、更に中芯１０に裏側のライナ９が糊等の接着剤により貼り付けられて補強されたいわゆる両面ダンボールとして構成されている。
【００１５】
直方体形状の箱本体を備えた梱包箱１を構成する段ボールシート８は、複数の矩形平板状をした第１、第２の内フラップ部１１、１６と、各内フラップ部１１、１６に隣り合う複数の矩形平板状をした第１、第２の外フラップ部２１、２６と、各内フラップ部１１、１６又は各外フラップ部２１、２６に連設された複数の矩形平板状の側板部である、第１の側板部３１、第２の側板部３２、第３の側板部３３、第４の側板部３４と、各第１〜第４の側板部３１、３２、３３、３４に連設された複数の異形状の底片部である、第１の底片部３６、第２の底片部３７、第３の底片部３８、又は矩形平板状の底板部３９と、各第１及び第４の側板部３１、３４を繋ぎ止める台形状の継代片部３５たとえば糊付片部とを備え、これらは１つのものとして一体に構成されている。
【００１６】
各第１の内フラップ部１１と第１の底片部３６とを折り曲げ自在に備える第１の側板部３１に隣接して、第２の側板部３２が折り曲げ自在に連設されている。また、第１の外フラップ部２１と第２の底片部３７とを折り曲げ自在に備える第２の側板部３２に隣接して、第３の側板部３３が折り曲げ自在に連設されている。
【００１７】
また、各第２の内フラップ部１６と第３の底片部３８とを折り曲げ自在に備える第３の側板部３３に隣接して、第４の側板部３４が折り曲げ自在に連設されている。また、第２の外フラップ部２６と底板部３９とを折り曲げ自在に備える第４の側板部３４に隣接して、継代片部３５が折り曲げ自在に連設されている。
【００１８】
また、第１の内フラップ部１１及び第２の内フラップ部１６は、４つに分けられた第１の内フラップ部１１ａ、１１ｂ、１１ｃ、１１ｄと、４つに分けられた第２の内フラップ部１６ａ、１６ｂ、１６ｃ、１６ｄと、をそれぞれ備えて構成されている。
【００１９】
４つに分けられた第１の内フラップ部１１（１１ａ、１１ｂ、１１ｃ、１１ｄ）は、第１の側板部３１に折り曲げ自在に連設され、４つに分けられた第２の内フラップ部１６（１６ａ、１６ｂ、１６ｃ、１６ｄ）は、段ボールシート８が梱包箱１として組み立てられたときに第１の側板部３１に対向する第３の側板部３３に折り曲げ自在に連設されている。
【００２０】
また、外フラップ部２１、２６は、第１の外フラップ部２１と、第２の外フラップ部２６とを備えて構成されている。第１の外フラップ部２１は、第２の側板部３２に折り曲げ自在に連設され、第２の外フラップ部２６は、段ボールシート８が梱包箱１として組み立てられたときに第２の側板部３２に対向する第４の側板部３４に折り曲げ自在に連設されている。
【００２１】
また、例えば不図示の糊等の接着剤が用いられて継代片部３５及び第１の側板部３１が固定されて梱包箱１が構成される。なお、例えば不図示のステープル（針）等の止具が用いられて継代片部３５及び第１の側板部３１が固定されて梱包箱１が構成されてもよい。
【００２２】
図２は、未開封時の梱包箱１を示す斜視図である。
【００２３】
この梱包箱１は、素材とされる略平板状の段ボールシート８が折り曲げられて組み立てられることにより構成される。
【００２４】
梱包箱１が未開封のとき即ち梱包箱未開封時には、第１の外フラップ部２１と第４の側板部３４とが梱包用テープ４により固定されて、例えば梱包箱１が不用意に開けられるということは防止されている。
【００２５】
図３は、第１及び第２の外フラップ部２１、２６が開けられて梱包箱１が開封され始める状態を示す斜視図である。
【００２６】
梱包箱１が開封されるときに、先ず梱包用テープ４が割かれる等され、次に箱本体５に対して第１の外フラップ部２１が開けられ、次いで箱本体５に対して第２の外フラップ部２６が開けられる。
【００２７】
図４は、第１及び第２の外フラップ部２１、２６が開けられたときの梱包箱１内の状態を示す斜視図である。
【００２８】
梱包箱１から未使用品のトナー容器を取り出す際に、第１及び第２の外フラップ部２１、２６が開けられる。この梱包箱１は、トナーが入れられた複数個たとえば４個のトナー容器であるトナーカートリッジ８０を収納可能な梱包箱１として構成されている。
【００２９】
不図示のフルカラーの画像形成装置に用いられるトナーは、例えば、マゼンダ、シアン、イエロー、ブラックの４種類の色のトナーとされる。１つのトナー容器８０に１種類の色のトナーが収容され、フルカラーの画像形成装置は、４種類の色のトナー容器８０が１つずつ合計４つ必要とされる。不図示の画像形成装置に装着されるトナー容器の数に対応して、梱包箱１に収納されるトナー容器８０の数が定められる。なお、１つの梱包箱１に収容される複数個のトナーカートリッジ８０は、同一色のトナーであっても良いし、異なる色のトナーであっても良い。
【００３０】
図５は、未使用状態の１本目のトナーカートリッジ８０が梱包箱１内から取り出され始める状態を示す斜視図である。
【００３１】
第１及び第２の外フラップ部２１、２６が開けられたのちに、「使用済み」と記載されていない第１の内フラップ部１１（１１ａ、１１ｂ、１１ｃ、１１ｄ）のうち、第１の内フラップ部１１ａが開けられる。例えば第４の側板部３４側から梱包箱１を正面視した場合に、梱包箱１の前後両方の第１及び第２の外フラップ部２１、２６が開けられたときに、左右両方の第１及び第２の内フラップ部１１、１６のうちの片側の第２の内フラップ部１６に「使用済み」と印刷されている。
【００３２】
梱包箱１内のトナー容器が使用される前、すなわち梱包箱１内に未使用品のトナー容器が備えられているときには、「使用済み」と記載されていない第１の内フラップ部１１が「使用済み」と記載された第２の内フラップ部１６の上に重ねられている。
【００３３】
「使用済み」と記載されていない第１の内フラップ部１１が開けられたのちに、「使用済み」と記載された第２の内フラップ部１６が開けられる。
【００３４】
図６は、第１及び第２の内フラップ部１１、１６が開けられた状態ならびに１本目のトナーカートリッジ８０の取出／収納状態を示す分解斜視図である。
【００３５】
この梱包箱１は、不図示の画像形成装置用のトナーが入れられる複数のトナーカートリッジ８０を収容可能な直方体形状の収容部６を有するトナーカートリッジ用の箱本体５と、直方体形状の箱本体５を覆う矩形平板状の複数の各種フラップ部１１、１６、２１、２６とを備える直方体形状の梱包箱１とされている。
【００３６】
フラップ部１１、１６、２１、２６は、箱本体５の内側に備えられて箱本体５の開口部７を覆う第１、第２の内フラップ部１１、１６と、第１、第２の内フラップ部１１、１６の外側に重ねられて箱本体５の開口部７を覆う第１、第２の外フラップ部２１、２６とを備えて構成される。
【００３７】
第１及び第２の外フラップ部２１、２６が開けられ、その後、第１及び第２の内フラップ部１１、１６が開けられたのちに、１本目の未使用品のトナーカートリッジ８０が取り出される。
【００３８】
また、トナーカートリッジ８０を衝撃等から保護する各保護部材８１、８２がトナーカートリッジ８０に装備されている。各トナーカートリッジ８０が収納される梱包箱１の収容部６に、各トナーカートリッジ８０を衝撃等から保護する各保護部材８１、８２等の各緩衝材等が備えられる。
【００３９】
梱包箱１に収納された４つのトナーカートリッジ８０のうち、例えば１つのトナーカートリッジ８０だけが交換された場合、３つの未使用状態のトナーカートリッジ８０が梱包箱１内に収納されたままとされ、且つ、１つの使用済状態のトナーカートリッジ８０が梱包箱１内に収納される。
【００４０】
また、この梱包箱１は、各内フラップ部１１、１６を繋ぎ止める係合部４１、係止部４６を備えて構成されている。
【００４１】
詳しく説明すると、上側の第２の内フラップ部１６と下側の第１の内フラップ部１１とを繋ぎ止める例えば係合部４１が左側の各第１の内フラップ部１１に設けられている。また、上側の第２の内フラップ部１６と下側の第１の内フラップ部１１とを繋ぎ止める例えば係止部４６が右側の各第２の内フラップ部１６に設けられている。
【００４２】
例えば、作業者により未使用品のトナーカートリッジ８０が取り出される前の状態において、上側の第１の内フラップ部１１に、第１の内フラップ部１１と第２の内フラップ部１６とを係り合わせる複数の係合部４１が設けられている。
【００４３】
第１の内フラップ部１１の各係合部４１に対応して、下側の第２の内フラップ部１６に、第１の内フラップ部１１と第２の内フラップ部１６とを係り止めさせる複数の係止部４６が設けられている。
【００４４】
詳しく説明すると、梱包箱１が開けられた当初に第２の内フラップ部１６の上側に位置する１つの第１の内フラップ部１１に、第１の内フラップ部１１と第２の内フラップ部１６とを係り合わせる前後左右計４箇所の係合部４１が設けられている。
【００４５】
第１の内フラップ部１１の各係合部４１に対応して、梱包箱１が開けられた当初に第１の内フラップ部１１の下側に位置する１つの第２の内フラップ部１６に、第１の内フラップ部１１と第２の内フラップ部１６とを係り止めさせる前後左右計４箇所の係止部４６が設けられている。
【００４６】
上側に位置する左側の第１の内フラップ部１１に設けられた係合部４１は、例えば略凹状に形成された開口部４１として構成されている。
【００４７】
一方、下側に位置する右側の第２の内フラップ部１６に設けられた係止部４６は、使用される前の初期状態において、第２の内フラップ部１６の本体部１７の前後両端部１８ｂ、１８ｃに例えば略並行に一対の切込みが入れられた状態で、折り曲げられることなく第２の内フラップ部１６の本体部１７と略平行に備えられている。第２の内フラップ部１６の本体部１７の前後両端部１８ｂ、１８ｃに形成された係止部４６を構成する一対の略並行の切込み部４７は、略同じ長さとされている。
【００４８】
また、各切込み部４７の奥端にて、一対の切込み部４７を繋ぐ折目部とされる折曲げ線部４８が第２の内フラップ部１６の本体部１７に形成されている。折目部とされる折曲げ線部４８が形成されていることにより、係止部４６は、第２の内フラップ部１６の本体から分離されることなく第２の内フラップ部１６の本体部１７に一体に備えられている。
【００４９】
図７は、１本目の使用済状態のトナーカートリッジ８０が梱包箱１内に収納されて第１及び第２の内フラップ部１１、１６が閉じられた状態を説明する斜視図である。
【００５０】
未使用品のトナーカートリッジ８０が不図示の画像形成装置に組み込まれて使用され、画像形成装置から取り出された使用済のトナーカートリッジ８０が梱包箱１の箱本体５に収納されたのちに、先に「使用済み」と記載されていない第１の内フラップ部１１が閉じられ、次に「使用済み」と記載されていない第１の内フラップ部１１の上に、「使用済み」と記載された第２の内フラップ部１６が重ねられる。
【００５１】
１つの使用済状態のトナーカートリッジ８０の収納位置に対応する第１の内フラップ部１１が閉じられ、次に、その第１の内フラップ部１１に対応する第２の内フラップ部１６が、その第１の内フラップ部１１に係り合わせられつつ重ね合わせられて閉じられる。
【００５２】
このように、使用済のトナーカートリッジ８０が梱包箱１の箱本体５に収納されるときに、作業者は、図４に示す梱包箱１の第１及び第２の内フラップ部１１、１６の当初の重なり順序を逆にする。
【００５３】
図７の如く、第２の内フラップ部１６の「使用済み」と記載された印刷面部１９が上にされることで、作業者らは、梱包箱１の箱本体５に入っているトナーカートリッジ８０が、未使用品のトナーカートリッジ８０とされているか、又は使用済み品のトナーカートリッジ８０とされているかの判断を容易に迅速に行うことができる。
【００５４】
また、第２の内フラップ部１６の表側面部とされる印刷面部１９に「使用済み」と記載されていることから、梱包箱１の箱本体５内における使用済状態のトナーカートリッジ８０の収納位置は容易に迅速に判別される。
【００５５】
このように、この梱包箱１は、使用済状態のトナーカートリッジ８０（使用済品）と未使用状態のトナーカートリッジ８０（未使用品）とが梱包箱１の箱本体５内にて混在する場合とされても、梱包箱１の第１及び第２の外フラップ部２１、２６を開いたときに、例えばトナーカートリッジ８０の使用／未使用状態が容易に識別可能な構造を有する梱包箱１とされている。
【００５６】
また、１つの使用済状態のトナーカートリッジ８０の収納位置に対応する第２の内フラップ部１６の本体部１７から「使用済み」と記載された表示片部５０が起立させられる。なお、各図において、表示片部５０に記載された文字は、便宜上、例えば黒模様として描かれている。
【００５７】
小形矩形平板状をした表示片部５０は、略平板状の第２の内フラップ部１６の本体部１７から本体部１７に直交する方向に略沿って立ち上げられて、矩形平板状をした第３の側板部３３に連設されつつ突出されると共に、矩形平板状をした第３の側板部３３に対して略平行な状態とされる。
【００５８】
また、作業者が梱包箱１から新しいトナーカートリッジ８０を取り出し、使用済みのトナーカートリッジ８０を梱包箱１に収納するときに、作業者により、下側の第２の内フラップ部１６に設けられた係止部４６は、折曲げ線部４８に基づいて第２の内フラップ部１６の本体部１７に対して梱包箱１の内側に向けて略直角に折り曲げられて、係止部４６は、例えば略凸状に形成された突出部４６として構成される。
【００５９】
例えば、作業者により未使用品のトナーカートリッジ８０が取り出されて使用済みのトナーカートリッジ８０が梱包箱１に収納されたのちに、第１の内フラップ部１１の係合部４１に第２の内フラップ部１６の係止部４６が差し込まれることで、両内フラップ部１１、１６が不用意に開かないようにされている。
【００６０】
第１の内フラップ部１１の係合部４１に第２の内フラップ部１６の係止部４６が合わせられることで、両内フラップ部１１、１６が不用意に開き例えば梱包箱１内の使用済みトナーカートリッジ８０が梱包箱１の外に出されるということは回避される。
【００６１】
未開封状態の梱包箱１から１本目の未使用状態のトナーカートリッジ８０が取り出され、その後、１本目の使用済状態のトナーカートリッジ８０が梱包箱１に収納されるまでの工程は、このように行われる。
【００６２】
図８は、仮梱包時の梱包箱１を示す斜視図である。
【００６３】
１本目の使用済状態のトナーカートリッジ８０が梱包箱１に収納され、第１及び第２の外フラップ部２１、２６が閉じられたのちに、箱本体５に対して第２の外フラップ部２６が閉じられ、次いで、第２の外フラップ部２６の上に第１の外フラップ部２１が重ねられ、箱本体５に対して第１の外フラップ部２１が閉じられる。
【００６４】
そのときに、第１の外フラップ部２１の仮梱包用フック部２４ａが第２の外フラップ部２６の仮梱包用差込部２９ａに合せられる。
【００６５】
その後、例えば必要に応じて、第１の外フラップ部２１と第４の側板部３４とが梱包用テープ４により固定される。１つの使用済状態のトナーカートリッジ８０と３つの未使用状態のトナーカートリッジ８０とが梱包箱１内に混在する場合の仮梱包時は、梱包箱１はこのような状態とされる。
【００６６】
この梱包箱１は、使用済状態のトナーカートリッジ８０（使用済品）と未使用状態のトナーカートリッジ８０（未使用品）とが梱包箱１の箱本体５内にて混在する場合とされても、「使用済み」と記載された表示片部５０が起立させられていることから、梱包箱１を開けることなく梱包箱１の外部から梱包箱１を眺めたときに、例えばトナーカートリッジ８０の使用／未使用状態が容易に識別可能な構造を有する梱包箱１とされている。
【００６７】
図９は、未使用状態の２本目のトナーカートリッジ８０が梱包箱１内から取り出され始める状態を示す斜視図、図１０は、第１及び第２の内フラップ部１１、１６が開けられて２本目のトナーカートリッジ８０が取り出された状態を示す斜視図、図１１は、２本目の使用済状態のトナーカートリッジ８０が梱包箱１内に収納されて第１及び第２の内フラップ部１１、１６が閉じられた状態を説明する斜視図である。
【００６８】
梱包箱１から２〜４本目の未使用状態のトナーカートリッジ８０が取り出され、その後、２〜４本目の使用済状態のトナーカートリッジ８０が梱包箱１に収納されるまでの取出・収納工程は、上記１本目のトナーカートリッジ８０の取出・収納工程と同じことから、その詳細な説明を省略する。
【００６９】
図１２は、使用済状態のトナーカートリッジ８０が全て梱包箱１内に収納された状態を示す斜視図である。
【００７０】
梱包箱１内のトナーカートリッジ８０が全て使用済状態のトナーカートリッジ８０とされた場合、第２の内フラップ部１６の本体部１７から「使用済み」と記載された表示片部５０が全て起立させられる。
【００７１】
また、第１の外フラップ部２１と第２の外フラップ部２６との重ね順も変更され、梱包箱１内のトナーカートリッジ８０が全て使用済状態のトナーカートリッジ８０とされたときの梱包箱１の状態は、図８に示す仮梱包時の梱包箱１の状態と異なる。
【００７２】
箱本体５に対し、第２の外フラップ部２６よりも先に第１の外フラップ部２１が閉じられ、次いで、第１の外フラップ部２１の上に第２の外フラップ部２６が重ねられ、箱本体５に対して第２の外フラップ部２６が閉じられる。
【００７３】
そのときに、第２の外フラップ部２６に設けられた第１の差込ロック部２９ｂが第１の外フラップ部２１に設けられた第１の差込部２４ｂに合せられ、第２の外フラップ部２６に設けられた一対の第２の差込ロック部２９ｃ、２９ｃが第１の外フラップ部２１に設けられた一対の第２の差込部２４ｃ、２４ｃに合せられる。
【００７４】
このようにすることで、梱包箱１内に収納されたトナーカートリッジ８０は全て使用済状態のトナーカートリッジ８０とされているものと容易に迅速に判断することができる。
【００７５】
このように、この梱包箱１は、使用済状態のトナーカートリッジ８０（使用済品）と未使用状態のトナーカートリッジ８０（未使用品）とが梱包箱１の箱本体５内にて混在する場合とされても、梱包箱１を開けることなく梱包箱１の外部から梱包箱１を眺めたとき、及び／又は、梱包箱１の外フラップ部２１、２６を開いたときに、例えばトナーカートリッジ８０の使用／未使用状態が容易に識別可能な構造を有する梱包箱１とされている。
【００７６】
なお、上記各実施例においては、４個のトナーカートリッジ８０が収納される梱包箱１について説明したが、例えば２個のトナーカートリッジ８０が収納される梱包箱１に本発明が適用されてもよい。
【００７７】
また、例えば梱包箱１内に収納されるトナーカートリッジ８０の数に対応して、第１の内フラップ部１１の数、第２の内フラップ部１６の数、表示片部５０の数等が定められる。
【００７８】
以上の如く、梱包箱１を構成する矩形平板状のフラップ部１６に、トナーカートリッジ８０の使用状態が例えば印刷／印字／刻印等されて示された小形矩形平板状の表示片部５０が設けられている。
【００７９】
小形矩形平板状の表示片部５０は、矩形平板状のフラップ部１６の本体部１７から立ち上げられるべく、矩形平板状をしたフラップ部１６の本体部１７の端部１８ａ近傍に略Ｕ字状に切れ込みが入れられてフラップ部１６の本体部１７に対して折り曲げ自在に形成されている。
【００８０】
表示片部５０を有する梱包箱１が構成されていれば、トナーカートリッジ８０の使用／未使用状態を容易に識別することができる。
【００８１】
使用済状態のトナーカートリッジ８０と未使用状態のトナーカートリッジ８０とが梱包箱１内にて混在する場合とされても、使用済状態のトナーカートリッジ８０が入れられた箱本体５の収容部６を覆う第２の内フラップ部１６（１６ａ、１６ｂ、１６ｃ、１６ｄ）の略Ｕ字状の表示片部５０を第２の内フラップ部１６の本体部１７に対して折り曲げて、略平板状の第２の内フラップ部１６の本体部１７から本体部１７に略直交する方向に沿って立ち上げておけば、梱包箱１の外部から梱包箱１の表示片部５０を眺めることで、トナーカートリッジ８０の使用／未使用状態を容易に識別することができる。
【００８２】
従って、梱包箱１を開けることなく梱包箱１の外部から梱包箱１の表示片部５０を眺めることで、トナーカートリッジ８０の使用／未使用状態を容易に識別可能な構造を有する直方体形状の梱包箱１を提供することができる。
【００８３】
矩形片状をした表示片部５０の根元部５３に矩形平板状をした第２の内フラップ部１６の本体部１７に対し折り曲げ可能な直線状の折目線部５４が設けられている。
【００８４】
このように表示片部５０が構成されていれば、作業者は、トナーカートリッジ８０の使用／未使用状態を識別可能な状態に容易にさせることができる。
【００８５】
矩形平板状をした第２の内フラップ部１６の本体部１７に対して折り曲げ可能な直線状の折目線部５４が矩形片状をした表示片部５０の根元部５３に設けられているので、作業者は、直線状の折目線部５４を基準にして第２の内フラップ部１６の表示片部５０を第２の内フラップ部１６の本体部１７から折り曲げて第２の内フラップ部１６の本体部１７から表示片部５０を容易に立ち上げることができる。
【００８６】
従って、トナーカートリッジ８０の使用／未使用状態を容易に識別可能な状態にさせる梱包箱１の提供が可能となる。
【００８７】
梱包箱１は、直方体形状の箱本体５を構成する矩形状の複数の側板部３１、３２、３３、３４と、側板部３１、３２、３３、３４に連設された矩形状の複数の各種フラップ部１１、１６、２１、２６とを備えて構成される。
【００８８】
各側板部３１、３２、３３、３４と各フラップ部１１、１６、２１、２６とを分ける直線状の折曲線部２０が設けられている。直線状の折曲線部２０上に直線状の折目線部５４が重ねられるように折曲線部２０を兼ねるように折目線部５４が設けられている。
【００８９】
このように表示片部５０が構成されていれば、作業者は、フラップ部１６の本体部１７から表示片部５０をより容易に立ち上げることができる。
【００９０】
略平板状の段ボールシート８から直方体形状の梱包箱１が構成されるときに梱包箱１の直方体形状の箱本体５を構成する矩形平板状の複数の側板部３１、３２、３３、３４と、側板部３１、３２、３３、３４に連設された矩形平板状の複数の各種フラップ部１１、１６、２１、２６とを分ける直線状の折曲線部２０を基準にして、側板部３１、３２、３３、３４に対しフラップ部１１、１６、２１、２６が折り曲げられる。
【００９１】
矩形片状の表示片部５０の根元部５３に設けられた折り曲げ可能な直線状の折目線部５４は、矩形平板状の側板部３１、３２、３３、３４と、側板部３１、３２、３３、３４に連設された矩形平板状の複数の各種フラップ部１１、１６、２１、２６とを分ける直線状の折曲線部２０上に重ねられるように折曲線部２０を兼ねるように直線状の折目線部５４が設けられているので、矩形片状の表示片部５０の根元部５３に設けられた直線状の折目線部５４には、既に曲げぐせがついている。これにより、フラップ部１６の本体部１７から表示片部５０はより容易に立ち上げられる。
【００９２】
第２の内フラップ部１６を構成する本体部１７のヒンジ側端部１８ａの近傍に複数の表示片部５０が設けられている。
【００９３】
また、第１、第２の外フラップ部２１、２６を構成する本体部２２、２７の端部２３、２８に、複数の表示片部５０に対応する複数の切欠き部５１、５２が設けられている。
【００９４】
このように梱包箱１が構成されていれば、第２の内フラップ部１６を構成する本体部１７のヒンジ側端部１８ａの近傍にある複数の表示片部５０が第２の内フラップ部１６の本体部１７に対して立ち上げられ、次に、梱包箱１の箱本体５の開口部７に第２の内フラップ部１６が閉じられ、その後、第２の内フラップ部１６の外側に第１、第２の外フラップ部２１、２６が重ねられて梱包箱１の箱本体５の開口部７に第１、第２の外フラップ部２１、２６が閉じられも、第１、第２の外フラップ部２１、２６を構成する本体部２２、２７の端部２３、２８に複数の表示片部５０に対応する複数の切欠き部５１、５２が設けられているので、複数の表示片部５０が第１、第２の外フラップ部２１、２６を構成する本体部２２、２７の端部２３、２８と干渉するということは回避される。
【００９５】
従って、トナーカートリッジ８０の使用／未使用状態を識別可能な状態に容易にさせることができる。
【００９６】
小形矩形平板状の表示片部５０を矩形平板状の第２の内フラップ部１６の本体部１７から立ち上げるときに、表示片部５０を立ち上げ易くさせる人の指に対応した略半円状の切欠き状の起立促進部５５が、第２の内フラップ部１６の本体部１７に表示片部５０が合わせられた状態における矩形片状表示片部５０の周辺近傍の本体部１７に設けられている。
【００９７】
このように梱包箱１が構成されていれば、作業者は、トナーカートリッジ８０の使用／未使用状態を識別可能な状態に容易にさせることができる。
【００９８】
小形矩形平板状の表示片部５０を矩形平板状の第２の内フラップ部１６の本体部１７から立ち上げるときに、第２の内フラップ部１６の本体部１７に表示片部５０が合わせられた状態における矩形片状表示片部５０の周辺近傍の本体部１７に設けられた略半円状の切欠き状の起立促進部５５に例えば人の指などが入れられる。
【００９９】
その状態で、第２の内フラップ部１６の本体部１７に対して表示片部５０が起立させられることにより、小形矩形平板状の表示片部５０は、矩形平板状第２の内フラップ部１６の本体部１７から容易に立ち上げられる。
【０１００】
従って、トナーカートリッジ８０の使用／未使用状態を識別可能な状態に容易にさせることができる。
【実施例２】
【０１０１】
図１３は、本発明の実施例２に係る梱包箱２を説明する斜視図であり、第１及び第２の外フラップ部２１、２６が開けられたときの梱包箱２内の状態を示す斜視図、図１４は、未使用状態の１本目のトナー容器が梱包箱２内から取り出され始める状態を示す斜視図である。
【０１０２】
図１３〜図１９と共に説明する実施例２の梱包箱２において、図１〜図１２と共に説明した実施例１の梱包箱１の説明内容と同一のものについては、同一の符号を付しその詳細な説明を省略した。
【０１０３】
図４〜図７、図９〜図１１に示す第１、第２の内フラップ部１１（１１ａ、１１ｂ、１１ｃ、１１ｄ）、１６（１６ａ、１６ｂ、１６ｃ、１６ｄ）に代えて、図１３〜図１９の如く、他の構造をした第１、第２の内フラップ部６１（６１ａ、６１ｂ、６１ｃ、６１ｄ）、６６（６６ａ、６６ｂ、６６ｃ、６６ｄ）を備える梱包箱２が構成されている。
【０１０４】
図４〜図７、図９〜図１１に示す第１、第２の内フラップ部１１（１１ａ、１１ｂ、１１ｃ、１１ｄ）、１６（１６ａ、１６ｂ、１６ｃ、１６ｄ）の横幅よりも、図１３〜図１９の如く、他の第１、第２の内フラップ部６１（６１ａ、６１ｂ、６１ｃ、６１ｄ）、６６（６６ａ、６６ｂ、６６ｃ、６６ｄ）の横幅のほうが短い。
【０１０５】
梱包箱２は、梱包箱２の第１、第２の外フラップ部２１、２６が開けられると、梱包箱２内のトナー容器等の様子が迅速に分かる構造とされている。
【０１０６】
また、第２の内フラップ部６６に折返し部６７ｃが設けられて、第２のフラップ部６６は、第１の本体部６７ａと、第２の本体部６７ｂとを備える折畳み可能な構造とされている。
【０１０７】
また、第１の内フラップ部６１に係止部、係合部は設けられず、第２の内フラップ部６６に、開口部形状をした係合部７１と、突出部形状をした係止部７６とが設けられている。
【０１０８】
第２の内フラップ部６６を構成する第１の本体部６７ａに折曲げ線部７８が設けられて、矩形平板状をした第１の本体部６７ａに略直交する方向に略沿って突出部形状をした係止部７６が形成されている。
【０１０９】
素材とされる略平板状の段ボールシートが折り曲げられて組み立てられることにより、トナー容器用箱本体５、各フラップ部２１、２６、６１、６６等を有する梱包箱２が構成される。
【０１１０】
フラップ部２１、２６、６１、６６は、箱本体５の内側に備えられて箱本体５の開口部７を覆う第１、第２の内フラップ部６１、６６と、第１、第２の内フラップ部６１、６６の外側に重ねられて箱本体５の開口部７を覆う第１、第２の外フラップ部２１、２６とを備えて構成される。
【０１１１】
図１５は、第１及び第２の内フラップ部６１、６６が開けられた状態ならびに１本目のトナー容器８０いわゆるトナーカートリッジ８０の取出／収納状態を示す分解斜視図である。
【０１１２】
この梱包箱２は、不図示の画像形成装置用のトナーが入れられる複数のトナーカートリッジ８０を収容可能な直方体形状の収容部６を有するトナーカートリッジ用箱本体５と、直方体形状の箱本体５を覆う矩形平板状の複数の各種フラップ部２１、２６、６１、６６とを備える直方体形状の梱包箱２とされている。
【０１１３】
フラップ部２１、２６、６１、６６は、箱本体５の内側に備えられて箱本体５の開口部７を覆う第１、第２の内フラップ部６１、６６と、第１、第２の内フラップ部６１、６６の外側に重ねられて箱本体５の開口部７を覆う第１、第２の外フラップ部２１、２６とを備えて構成される。
【０１１４】
第１及び第２の外フラップ部２１、２６が開けられ、その後、第１及び第２の内フラップ部６１、６６が開けられたのちに、１本目の未使用品のトナーカートリッジ８０が取り出される。
【０１１５】
また、この梱包箱２は、右側の内フラップ部６６に、右側の内フラップ部６６を折り返した状態で繋ぎ止める係合部７１、係止部７６を備えて構成されている。
【０１１６】
第２の内フラップ部６６を構成する第１の本体部６７ａと第２の本体部６７ｂとを係り止めさせる前後計２箇所の係止部７６が、第１の本体部６７ａの前後両端部６８ｂ、６８ｃに設けられている。
【０１１７】
右側の第２の内フラップ部６６を構成する第１の本体部６７ａに設けられた係止部７６は、折曲げ線部７８に基づいて第２の内フラップ部６６を構成する第１の本体部６７ａに対して梱包箱２の内側に向けて略直角に折り曲げられて、係止部７６は、例えば略凸状に形成された突出部７６として構成されている。
【０１１８】
また、第２の内フラップ部６６を構成する第１の本体部６７ａと第２の本体部６７ｂとを係り止めさせる前後計２箇所の係合部７１が、第２の本体部６７ｂの前後両端部６８ｂ、６８ｃに設けられている。
【０１１９】
右側の第２の内フラップ部６６を構成する第２の本体部６７ｂに設けられた係合部７１は、例えば略凹状に形成された開口部７１として構成されている。
【０１２０】
作業者により未使用品のトナーカートリッジ８０が取り出される前の状態において、１つの第２の内フラップ部６６に設けられた前後計２箇所の係合部７１及び係止部７６により、第２の内フラップ部６６を構成する第１の本体部６７ａに対して第２の本体部６７ｂが折り返されると共に係り止めされている。
【０１２１】
作業者により、使用済品のトナーカートリッジ８０が梱包箱２に収納されるときに、作業者により、折返し部６７ｃにて折り返されていた第２の内フラップ部６６を構成する第２の本体部６７ｂは、折返し戻されて、第２の内フラップ部６６を構成する第１の本体部６７ａと第２の本体部６７ｂとは、例えば矩形平板状の１枚の板とされて、第２の内フラップ部６６は、１枚の矩形平板状の板として構成される。
【０１２２】
また、これに対応して、第２の内フラップ部６６の「使用済み」と記載された印刷面部６９が上側とされる。
【０１２３】
これにより、作業者らは、梱包箱２の箱本体５に入っているトナーカートリッジ８０が、未使用品のトナーカートリッジ８０とされているか、又は使用済み品のトナーカートリッジ８０とされているかの判断を容易に迅速に行うことができる。
【０１２４】
図１６は、１本目の使用済状態のトナーカートリッジ８０が梱包箱２内に収納されて第１及び第２の内フラップ部６１、６６が閉じられた状態を説明する斜視図である。
【０１２５】
第２の内フラップ部６６の「使用済み」と記載された印刷面部６９が折り返されて上側とされることで、作業者らは、梱包箱２の箱本体５に入っているトナーカートリッジ８０が、未使用品のトナーカートリッジ８０とされているか、又は使用済み品のトナーカートリッジ８０とされているかの判断を容易に迅速に行うことができる。
【０１２６】
また、第２の内フラップ部６６の表側面部とされる印刷面部６９に「使用済み」と記載されていることから、梱包箱２の箱本体５内における使用済状態のトナーカートリッジ８０の収納位置は容易に迅速に判別される。
【０１２７】
このように、この梱包箱２は、使用済状態のトナーカートリッジ８０（使用済品）と未使用状態のトナーカートリッジ８０（未使用品）とが梱包箱２の箱本体５内にて混在する場合とされても、梱包箱２の第１及び第２の外フラップ部２１、２６を開いたときに、例えばトナーカートリッジ８０の使用／未使用状態が容易に識別可能な構造を有する梱包箱２とされている。
【０１２８】
また、梱包箱２を構成する矩形平板状のフラップ部６６に、トナーカートリッジ８０の使用状態が例えば印刷／印字／刻印等されて示された小形矩形平板状の表示片部５０が設けられている。
【０１２９】
小形矩形平板状の表示片部５０は、矩形平板状のフラップ部６６を構成する第１の本体部６７ａから立ち上げられるべく、矩形平板状をしたフラップ部６６を構成する第１の本体部６７ａの第３側板部３３側ヒンジ端部６８ａの近傍に略Ｕ字状に切れ込みが入れられてフラップ部６６を構成する第１の本体部６７ａに対して折り曲げ自在に形成されている。
【０１３０】
１つの使用済状態のトナーカートリッジ８０の収納位置に対応する第２の内フラップ部６６の第１本体部６７ａから「使用済み」と記載された表示片部５０が起立させられる。
【０１３１】
この梱包箱２は、使用済状態のトナーカートリッジ８０（使用済品）と未使用状態のトナーカートリッジ８０（未使用品）とが梱包箱２の箱本体５内にて混在する場合とされても、「使用済み」と記載された表示片部５０が起立させられていることから、梱包箱２を開けることなく梱包箱２の外部から梱包箱２を眺めたときに、例えばトナーカートリッジ８０の使用／未使用状態が容易に識別可能な構造を有する梱包箱２とされている。
【０１３２】
未開封状態の梱包箱２から１本目の未使用状態のトナーカートリッジ８０が取り出され、その後、１本目の使用済状態のトナーカートリッジ８０が梱包箱２に収納されるまでの工程は、このように行われる。
【０１３３】
図１７は、未使用状態の２本目のトナーカートリッジ８０が梱包箱２内から取り出され始める状態を示す斜視図、図１８は、第１及び第２の内フラップ部６１、６６が開けられて２本目のトナーカートリッジ８０が取り出された状態を示す斜視図、図１９は、２本目の使用済状態のトナーカートリッジ８０が梱包箱２内に収納されて第１及び第２の内フラップ部６１、６６が閉じられた状態を説明する斜視図である。
【０１３４】
梱包箱２から２〜４本目の未使用状態のトナーカートリッジ８０が取り出され、その後、２〜４本目の使用済状態のトナーカートリッジ８０が梱包箱２に収納されるまでの取出・収納工程は、上記１本目のトナーカートリッジ８０の取出・収納工程と同じことから、その詳細な説明を省略する。
【０１３５】
この梱包箱２は、使用済状態のトナーカートリッジ８０（使用済品）と未使用状態のトナーカートリッジ８０（未使用品）とが梱包箱２の箱本体５内にて混在する場合とされても、梱包箱２を開けることなく梱包箱２の外部から梱包箱２を眺めたとき、及び／又は、梱包箱２の外フラップ部２１、２６を開いたときに、例えばトナーカートリッジ８０の使用／未使用状態が容易に識別可能な構造を有する梱包箱２とされている。
【０１３６】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【０１３７】
容器を収容するための箱本体と、
本体部と、前記容器の使用状態を示す表示片部と、を含み、前記箱本体を覆うフラップ部と、
を備え、
前記表示片部は、前記フラップ部の前記本体部から立ち上げられるべく、前記フラップ部の前記本体部に切れ込みが入れられた、
ことを特徴とする梱包箱。
[付記２]
【０１３８】
前記表示片部の根元部に前記フラップ部の前記本体部に対し折り曲げ可能な折目線部が設けられた、
ことを特徴とする付記１記載の梱包箱。
[付記３]
【０１３９】
前記箱本体を構成する側板部と、
該側板部に連設された前記フラップ部と、を備え、
該側板部と該フラップ部とを分ける折曲線部が設けられ、
該折曲線部上に前記折目線部が設けられた、
ことを特徴とする付記２記載の梱包箱。
[付記４]
【０１４０】
前記フラップ部は、前記箱本体の内側に備えられる内フラップ部と、該内フラップ部の外側に重ねられる外フラップ部と、を備えて構成され、
該内フラップ部に前記表示片部が設けられ、
該外フラップ部に該表示片部に対応する切欠き部が設けられた、
ことを特徴とする付記１乃至３の何れか１項に記載の梱包箱。
[付記５]
【０１４１】
前記表示片部を前記フラップ部の前記本体部から立ち上げるときに、該表示片部を立ち上げ易くさせる切欠き状の起立促進部が、該フラップ部の該本体部に該表示片部が合わせられた状態における該表示片部の周辺近傍の該本体部に設けられた、
ことを特徴とする付記１乃至４の何れか１項に記載の梱包箱。
[付記６]
【０１４２】
前記内フラップ部には、前記容器が使用済みであることが記載されている、
ことを特徴とする付記４又は５記載の梱包箱。
【産業上の利用可能性】
【０１４３】
本発明は、使用済状態のトナー容器と未使用状態のトナー容器とが箱内にて混在する場合とされても、トナー容器の使用／未使用状態を容易に識別可能な梱包箱に利用することができる。
【符号の説明】
【０１４４】
１  梱包箱
４  テープ
５  箱本体
６  収容部
７  開口部
８  段ボールシート
９  ライナ
１０  中芯
１１（１１ａ、１１ｂ、１１ｃ、１１ｄ）  第１の内フラップ部（フラップ部）
１６（１６ａ、１６ｂ、１６ｃ、１６ｄ）  第２の内フラップ部（フラップ部）
１７  本体部
１８ａ  ヒンジ側端部（端部）
１８ｂ、１８ｃ  前後両端部（端部）
１９  印刷面部
２０  折曲線部
２１  第１の外フラップ部（フラップ部）
２２  本体部
２３  端部
２４ａ  フック部
２４ｂ  第１の差込部（差込部）
２４ｃ  第２の差込部（差込部）
２６  第２の外フラップ部（フラップ部）
２７  本体部
２８  端部
２９ａ  差込部
２９ｂ  第１の差込ロック部（差込ロック部）
２９ｃ  第２の差込ロック部（差込ロック部）
３１、３２、３３、３４  側板部
３５  継代片部
３６、３７、３８  底片部
３９  底板部
４１  開口部（係合部）
４６  突出部（係止部）
４７  切込み部
４８  折曲げ線部
５０  表示片部
５１、５２  切欠き部
５３  根元部
５４  折目線部
５５  起立促進部
８０  トナーカートリッジ（容器）
８１、８２  保護部材
【図２】
2014118171.tif 000003
【図３】
2014118171.tif 000004
【図４】
2014118171.tif 000005
【図５】
2014118171.tif 000006
【図６】
2014118171.tif 000007
【図７】
2014118171.tif 000008
【図８】
2014118171.tif 000009
【図９】
2014118171.tif 000010
【図１０】
2014118171.tif 000011
【図１１】
2014118171.tif 000012
【図１２】
2014118171.tif 000013
【図１３】
2014118171.tif 000014
【図１４】
2014118171.tif 000015
【図１５】
2014118171.tif 000016
【図１６】
2014118171.tif 000017
【図１７】
2014118171.tif 000018
【図１８】
2014118171.tif 000019
【図１９】
2014118171.tif 000020
【図１】
2014118171.tif 000021